(57)【要約】【課題】壁紙画像データ、着信音データ、アプリケーションプログラムなどのデータをダウンロードする場合に、データの種類が限定されず、多様なデータをダウンロードする。【解決手段】アクセサリ５は、テーマ・コードが書き込まれたＩＣタグが取り付けられ、携帯端末１に装着されるものである。携帯端末１は、アクセサリ５が装着されると、そのアクセサリ５に取り付けられたＩＣタグからテーマ・コードを読み取り、そのテーマ・コードを配信サーバ２に送信する。これを受けて、配信サーバ２は、携帯端末１から送信されてきたテーマ・コードに応じたデータを選択し、携帯端末１に配信する。【選択図】図１
2006324761.tif 000002
【特許請求の範囲】
【請求項１】
携帯端末と、前記携帯端末に対してネットワークを介してデータの配信を行う配信サーバとを有してなるデータ配信システムにおいて、
所定のコードが書き込まれたＩＣタグが取り付けられ、前記携帯端末に装着されるアクセサリをさらに有し、
前記携帯端末は、
前記携帯端末に前記アクセサリが装着された場合に、当該アクセサリに取り付けられたＩＣタグから前記コードを読み取る読取部と、
前記読取部により読み取られた前記コードを前記ネットワークを介して前記配信サーバに送信する送信部とを有し、
前記配信サーバは、
前記携帯端末から送信されてきた前記コードに応じたデータを選択する選択部と、
前記選択部により選択されたデータを前記ネットワークを介して前記携帯端末に配信する配信部とを有するデータ配信システム。
【請求項２】
前記読取部は、前記携帯端末に複数のアクセサリが装着された場合、当該複数のアクセサリのそれぞれから前記コードを読み取り、
前記送信部は、前記読取部により前記複数のアクセサリのそれぞれから読み取られた複数のコードを前記ネットワークを介して前記配信サーバに送信し、
前記選択部は、前記携帯端末から送信されてきた前記複数のコードの組み合わせに応じたデータを選択する、請求項１に記載のデータ配信システム。
【請求項３】
携帯端末と、前記携帯端末に対してネットワークを介してデータの配信を行う配信サーバとを有してなるデータ配信システムによるデータ配信方法であって、
前記携帯端末が、所定のコードが書き込まれたＩＣタグが取り付けられたアクセサリが当該携帯端末に装着された場合に、当該アクセサリに取り付けられたＩＣタグから前記コードを読み取る第１のステップと、
前記携帯端末が、前記第１のステップで読み取られた前記コードを前記ネットワークを介して前記配信サーバに送信する第２のステップと、
前記配信サーバが、前記第２のステップで前記携帯端末から送信されてきた前記コードに応じたデータを選択する第３のステップと、
前記配信サーバが、前記第３のステップで選択されたデータを前記ネットワークを介して前記携帯端末に配信する第４のステップとを有するデータ配信方法。
【請求項４】
前記第１のステップでは、前記携帯端末に複数のアクセサリが装着された場合、前記携帯端末が、当該複数のアクセサリのそれぞれから前記コードを読み取り、
前記第２のステップでは、前記携帯端末が、前記第１のステップで前記複数のアクセサリのそれぞれから読み取られた複数のコードを前記ネットワークを介して前記配信サーバに送信し、
前記第３のステップでは、前記配信サーバが、前記第２のステップで前記携帯端末から送信されてきた前記複数のコードの組み合わせに応じたデータを選択する、請求項３に記載のデータ配信方法。
【請求項５】
配信サーバからネットワークを介してデータの配信を受ける携帯端末であって、
所定のコードが書き込まれたＩＣタグが取り付けられたアクセサリが前記携帯端末に装着された場合に、当該アクセサリに取り付けられたＩＣタグから前記コードを読み取る読取部と、
前記読取部により読み取られた前記コードを前記ネットワークを介して前記配信サーバに送信する送信部と、
前記送信部により送信された前記コードに応じたデータが前記配信サーバにより前記ネットワークを介して配信された場合に、当該データを受信する受信部とを有する携帯端末。
【請求項６】
前記読取部は、前記携帯端末に複数のアクセサリが装着された場合、当該複数のアクセサリのそれぞれから前記コードを読み取り、
前記送信部は、前記読取部により前記複数のアクセサリのそれぞれから読み取られた複数のコードを前記ネットワークを介して前記配信サーバに送信し、
前記受信部は、前記送信部により送信された前記複数のコードの組み合わせに応じたデータが前記配信サーバにより前記ネットワークを介して配信された場合に、当該データを受信する、請求項５に記載の携帯端末。
【請求項７】
携帯端末に対してネットワークを介してデータの配信を行う配信サーバであって、
前記携帯端末に装着されたアクセサリに取り付けられたＩＣタグから読み取られた所定のコードが前記携帯端末から送信されてきた場合に、当該コードに応じたデータを選択する選択部と、
前記選択部により選択されたデータを前記ネットワークを介して前記携帯端末に配信する配信部とを有する配信サーバ。
【請求項８】
前記選択部は、前記携帯端末に装着された複数のアクセサリに取り付けられたそれぞれのＩＣタグから読み取られた複数のコードが前記携帯端末から送信されてきた場合、当該複数のコードの組み合わせに応じたデータを選択する、請求項７に記載の配信サーバ。
【発明の詳細な説明】
【技術分野】
【０００１】
本発明は、画像データ、音声データ、アプリケーションプログラムなどのデータを、携帯電話、ＰＤＡ（Personal Digital Assistant）などの携帯端末に配信するデータ配信システム、データ配信方法、携帯端末、配信サーバに関する。
【背景技術】
【０００２】
従来より、携帯電話、ＰＤＡ等の携帯端末に対し、データを配信する技術は多数開示されている。しかし、ユーザがデータのダウンロードを行うためには、携帯端末上で、ダウンロードするデータを検索したり、ダウンロードするデータをキー入力して指定したりするなど、ユーザにとって煩雑な操作を行う必要があった。
【０００３】
そこで、最近、例えば、特許文献１において、電子機器の操作用のリモコンとして動作する携帯端末として、その電子機器から電子機器のＩＤを読み取り、そのＩＤをサーバに送信することで、そのＩＤに応じたデータをダウンロードする技術が開示されている。
【０００４】
特許文献１に開示された技術によれば、ユーザは、携帯端末上で、電子機器のメーカ名、型式などをキー入力するといった煩雑な操作を行うことなく、データをダウンロードすることができるという利点がある。
【特許文献１】特開２００４−２９７４７０号公報
【発明の開示】
【発明が解決しようとする課題】
【０００５】
しかし、特許文献１に開示された技術は、電子機器のＩＤに応じて一意に決められる、その電子機器に関する特定のデータのみがダウンロード可能であり、それ以外のデータをダウンロードする手段がない。
【０００６】
そのため、特許文献１に開示された技術をそのまま用いても、携帯端末に設定する壁紙画像データ、着信音データ、アプリケーションプログラムなどのデータをダウンロードすることはできない。
【０００７】
ただし、電子機器のＩＤの代わりに携帯端末のＩＤを用いれば、携帯端末のＩＤに応じて決められ、携帯端末に設定される壁紙画像データ、着信音データ、アプリケーションプログラムなどのデータをダウンロードすることも可能であると考えられる。
【０００８】
しかし、その場合も、携帯端末のＩＤに応じて一意に決められるデータのみがダウンロード可能であるため、壁紙画像データ、着信音データ、アプリケーションプログラムの種類は限定されてしまう。
【０００９】
そこで、本発明の目的は、壁紙画像データ、着信音データ、アプリケーションプログラムなどのデータをダウンロードする場合に、データの種類が限定されず、多様なデータをダウンロードすることができるデータ配信システム、データ配信方法、携帯端末、配信サーバを提供することにある。
【課題を解決するための手段】
【００１０】
上記目的を達成するために本発明は、
携帯端末と、前記携帯端末に対してネットワークを介してデータの配信を行う配信サーバとを有してなるデータ配信システムにおいて、
所定のコードが書き込まれたＩＣタグが取り付けられ、前記携帯端末に装着されるアクセサリをさらに有し、
前記携帯端末は、
前記携帯端末に前記アクセサリが装着された場合に、当該アクセサリに取り付けられたＩＣタグから前記コードを読み取る読取部と、
前記読取部により読み取られた前記コードを前記ネットワークを介して前記配信サーバに送信する送信部とを有し、
前記配信サーバは、
前記携帯端末から送信されてきた前記コードに応じたデータを選択する選択部と、
前記選択部により選択されたデータを前記ネットワークを介して前記携帯端末に配信する配信部とを有することを特徴とする。
【００１１】
この構成によれば、ユーザは、壁紙画像データ、着信音データ、アプリケーションプログラムなどのデータをダウンロードする場合、アクセサリの付け替えを行うことにより、多様な壁紙画像データ、着信音データ、アプリケーションプログラムをダウンロードすることができるようになる。
【００１２】
また、前記読取部は、前記携帯端末に複数のアクセサリが装着された場合、当該複数のアクセサリのそれぞれから前記コードを読み取り、
前記送信部は、前記読取部により前記複数のアクセサリのそれぞれから読み取られた複数のコードを前記ネットワークを介して前記配信サーバに送信し、
前記選択部は、前記携帯端末から送信されてきた前記複数のコードの組み合わせに応じたデータを選択することとしても良い。
【００１３】
この構成によれば、ユーザは、複数のアクセサリの組み合わせに応じて、さらに多様な壁紙画像データ、着信音データ、アプリケーションプログラムをダウンロードすることができるようになる。
【発明の効果】
【００１４】
以上説明したように本発明によれば、携帯端末において、装着されたアクセサリのＩＣタグから読み取ったコードを配信サーバに送信することで、そのコードに応じたデータをダウンロードするため、ユーザは、アクセサリの付け替えを行えば、多様なデータをダウンロードすることができるようになるという効果が得られる。
【発明を実施するための最良の形態】
【００１５】
以下に、本発明を実施するための最良の形態について図面を参照して説明する。
【００１６】
図１を参照すると、本発明の一実施形態によるデータ配信システムは、ユーザが保有する携帯電話、ＰＤＡなどの携帯端末１と、携帯端末１に装着されるハンドストラップなどのアクセサリ５と、携帯端末１に対してデータを配信する配信サーバ２と、アクセサリ５を生産する生産工場３０に設置された工場端末３と、アクセサリ５を販売する販売店４０に設置された販売店端末４とを有している。なお、携帯端末１、配信サーバ２、工場端末３、および販売店端末４は、携帯電話ネットワークを含むインターネットなどであるネットワーク１００によって互いに接続されている。
【００１７】
アクセサリ５は、携帯端末１に装着されるアクセサリであり、非接触にてデータの読み取り／書き込みが可能なＩＣタグが取り付けられている。このＩＣタグは、ＩＣチップとアンテナとからなる一般的なＩＣタグであり、ＩＣタグリーダ／ＩＣタグライタからの電波がアンテナにて受信されると、電磁誘導によりＩＣチップが起動し、ＩＣタグリーダ／ＩＣタグライタによるＩＣチップ内のデータの読み取り／書き込みが可能となる。また、このＩＣタグには、アクセサリ５を識別するための識別ＩＤが生産工場３０での生産時に書き込まれ、携帯端末１に配信されるデータを決定するためのテーマ・コードが生産工場３０でのアクセサリ５の生産時または販売店４０でのアクセサリ５の販売時に書き込まれる。また、このＩＣタグに書き込まれる識別ＩＤおよびテーマ・コードは、配信サーバ２の保有者であるサービス提供者によって予め定められ、配信サーバ２に格納されている。
【００１８】
なお、アクセサリ５におけるＩＣタグの取り付け位置は、携帯端末１にアクセサリ５が装着された状態で、携帯端末１のＩＣタグ読取部１２がＩＣタグ内のデータを読み取ることができる範囲内（すなわち、携帯端末１のＩＣタグ読取部１２が、ＩＣタグと電波による通信を行って、ＩＣタグ内のデータを受信することができる範囲内）であれば、どの位置であっても良いものとする。また、アクセサリ５へのＩＣタグの取り付け方法は、特に限定されるものではなく、アクセサリ５の上述した取り付け位置へＩＣタグを埋め込むなどの公知の方法を使用することができるものとする。
【００１９】
図２を参照すると、携帯端末１は、アクセサリ装着部１１1〜１１nと、ＩＣタグ読取部１２と、送信部１３と、受信部１４と、データ格納部１５と、データ設定部１６とを有している。
【００２０】
アクセサリ装着部１１1〜１１nには、アクセサリ５が装着される。
【００２１】
ＩＣタグ読取部１２は、アクセサリ装着部１１1〜１１nにアクセサリ５が装着されている状態で、そのアクセサリ５に取り付けられているＩＣタグから識別ＩＤおよびテーマ・コードを非接触にて読み取るＩＣタグリーダである。ＩＣタグ読取部１２は、ＩＣタグ読取部１２に設けられた不図示のアンテナからＩＣタグのアンテナへ向けて電波を発信することでＩＣタグのＩＣチップを起動させて、そのＩＣチップにＩＣチップ内の記憶部から識別ＩＤおよびテーマ・コードを読み出させてＩＣタグのアンテナから送信させる。そして、この送信された識別ＩＤおよびテーマ・コードを受信する。また、ＩＣタグ読取部１２は、不図示の制御部からのタイミング信号などをトリガーとして、ＩＣタグ内の識別ＩＤおよびテーマ・コードの読み取りを定期的に行う。
【００２２】
送信部１３は、ＩＣタグ読取部１２によりアクセサリ５のＩＣタグから読み取られた識別ＩＤおよびテーマ・コードを、ネットワーク１００を介して配信サーバ２に送信する。
【００２３】
受信部１４は、配信サーバ２からネットワーク１００を介して送信されてきた、画像データ（例えば、壁紙画像データ）、音声データ（例えば、音楽データ、着信音データ）、アプリケーションプログラムなどのデータを受信する。
【００２４】
データ格納部１５は、受信部１４により受信されたデータを格納する。
【００２５】
データ設定部１６は、データ格納部１５に格納されたデータを携帯端末１に設定する。例えば、データ設定部１６は、壁紙画像データを携帯端末１の不図示の表示部に表示される壁紙に設定したり、着信音データを携帯端末１の着信音に設定したり、アプリケーションデータをアプリケーションに設定したりする。
【００２６】
図３を参照すると、配信サーバ２は、受信部２１と、アクセサリ情報格納部２２と、認証部２３と、データ情報格納部２４と、選択部２５と、データ格納部２６と、配信部２７と、送信部２８とを有している。
【００２７】
受信部２１は、携帯端末１からネットワーク１００を介して送信されてきた識別ＩＤおよびテーマ・コードを受信する。
【００２８】
アクセサリ情報格納部２２は、図４に示すように、アクセサリ５の識別ＩＤごとに、その識別ＩＤに対応付けられるテーマ・コードを示すアクセサリ情報を予め格納する。なお、このテーマ・コードは、サービス提供者によって定められたものである。
【００２９】
認証部２３は、携帯端末１から送信されてきた識別ＩＤおよびテーマ・コードが、アクセサリ情報格納部２２に格納されている正当なものであるかを確認する。
【００３０】
データ情報格納部２４は、図５に示すように、単体のテーマ・コードまたは複数のテーマ・コードの組み合わせごとに、その単体のテーマ・コードまたは複数のテーマ・コードの組み合わせに対応付けられるデータを示すデータ情報を格納する。
【００３１】
選択部２５は、携帯端末１から送信されてきた識別ＩＤおよびテーマ・コードが正当であることが認証部２３により確認されると、データ情報格納部２４内のデータ情報を参照して、携帯端末１から送信されてきた単体のテーマ・コードおよび複数のテーマ・コードの組み合わせに応じたデータを選択する。例えば、選択部２５は、図５において、携帯端末１から送信されてきたテーマ・コードがコードＡであれば、コードＡに対応付けられた壁紙画像データａを選択し、テーマ・コードがコードＣであれば、コードＣに対応付けられた壁紙画像データｃおよび着信音データｄを選択する。また、コードＡとコードＢの２つのコードであれば、コードＡ，Ｂの組み合わせに対応付けられた壁紙画像データｘを選択するか、または、単体のコードＡ，Ｂにそれぞれ対応付けられた壁紙画像データａ，ｂを選択するか、または、コードＡ，Ｂの組み合わせに対応付けられた壁紙画像データｘと単体のコードＡ，Ｂにそれぞれ対応付けられた壁紙画像データａ，ｂとを選択する。
【００３２】
データ格納部２６は、画像データ（例えば、壁紙画像データ）、音声データ（例えば、音楽データ、着信音データ）、アプリケーションプログラムなどのデータを格納する。
【００３３】
配信部２７は、選択部２５により選択されたデータをデータ格納部２６から抽出し、抽出したデータをネットワーク１００を介して携帯端末１に配信する。
【００３４】
このように、配信サーバ２では、携帯端末１から送信されてきた識別ＩＤおよびテーマ・コードがアクセサリ情報格納部２２に格納されている正当なものでない場合や、携帯端末１から送信されてきたテーマ・コードに対応付けられるデータのデータ情報がデータ情報格納部２４に格納されていない場合は、携帯端末１へのデータ配信を行わずに中止する。
【００３５】
送信部２８は、アクセサリ５のＩＣタグに対して生産工場３０で識別ＩＤおよびテーマ・コードを書き込む場合は、アクセサリ情報格納部２２内のアクセサリ情報を参照して、識別ＩＤおよびテーマ・コードをネットワーク１００を介して工場端末３に送信する。また、アクセサリ５のＩＣタグに対して生産工場３０で識別ＩＤを書き込み、販売店４０でテーマ・コードを書き込む場合は、アクセサリ情報格納部２２内のアクセサリ情報を参照して、識別ＩＤをネットワーク１００を介して工場端末３に送信し、テーマ・コードをネットワーク１００を介して販売店端末４に送信する。
【００３６】
図６を参照すると、工場端末３は、受信部３１と、ＩＣタグ書込部３２と、送信部３３とを有している。
【００３７】
生産工場３０では、配信サーバ２の保有者であるサービス提供者からの生産指示を受けて、アクセサリ５の生産を行い、サービス提供者からの配送指示を受けて、生産したアクセサリ５を販売店４０に配送する。
【００３８】
生産工場３０でのアクセサリ５の生産時には、そのアクセサリ５に取り付けられるＩＣタグに対し、識別ＩＤおよびテーマ・コードを書き込むか、識別ＩＤのみを書き込む。この場合、工場端末３内の上記の構成要素は次のような動作を行う。
【００３９】
受信部３１は、配信サーバ２からネットワーク１００を介して、アクセサリ５に取り付けられたＩＣタグに書き込むべき識別ＩＤおよびテーマ・コードを受信するか、またはＩＣタグに書き込むべき識別ＩＤのみを受信する。
【００４０】
ＩＣタグ書込部３２は、受信部３１により受信された識別ＩＤおよびテーマ・コードを非接触にてＩＣタグに書き込むか、識別ＩＤのみを非接触にてＩＣタグに書き込むＩＣタグライタである。このＩＣタグ書込部３２は、ＩＣタグのアンテナへ向けて電波を発信しＩＣタグのＩＣチップを起動させつつ、その電波により識別ＩＤおよびテーマ・コードまたは識別ＩＤのみを送信し、そのＩＣチップ内の記憶部に記憶させる。
【００４１】
送信部３３は、ＩＣタグ書込部３２によりＩＣタグに実際に書き込んだ識別ＩＤおよびテーマ・コード、または実際に書き込んだ識別ＩＤを、ネットワーク１００を介して配信サーバ２に送信する。
【００４２】
なお、生産工場３０では、ＩＣタグへの書き込みを工場端末３以外の任意の端末で行うことも可能である。この場合には、工場端末３からＩＣタグ書込部３２を省略することができる。
【００４３】
また、生産工場３０で識別ＩＤのみをＩＣタグに書き込む場合は、テーマ・コードは、後述のように販売店４０にて書き込まれる。
【００４４】
図７を参照すると、販売店端末４は、ＩＣタグ読取部４１と、送信部４２と、受信部４３と、ＩＣタグ書込部４４とを有している。
【００４５】
販売店４０では、配信サーバ２の保有者であるサービス提供者に対してアクセサリ５を発注し、発注したアクセサリ５を生産工場３０から受け取り、携帯端末１の保有者であるユーザに販売する。それにより、ユーザは本サービスの利用が可能となる。
【００４６】
なお、販売店４０では、ＩＣタグに識別ＩＤのみが書き込まれたアクセサリ５を生産工場３０から受け取り、そのアクセサリ５の販売時に、テーマ・コードをＩＣタグに書き込む場合がある。この場合、販売店端末４内の上記の構成要素は次のような動作を行う。
【００４７】
ＩＣタグ読取部４１は、生産工場３０から受け取ったアクセサリ５に取り付けられたＩＣタグから識別ＩＤを非接触にて読み取るＩＣタグリーダである。
【００４８】
送信部４２は、ＩＣタグ読取部４１によりアクセサリ５のＩＣタグから読み取られた識別ＩＤを、ネットワーク１００を介して配信サーバ２に送信する。
【００４９】
受信部４３は、配信サーバ２からネットワーク１００を介して、アクセサリ５に取り付けられたＩＣタグに書き込むべきテーマ・コードを受信する。
【００５０】
ＩＣタグ書込部４４は、受信部４３により受信されたテーマ・コードを非接触にてＩＣタグに書き込むＩＣタグライタである。
【００５１】
このように、販売店４０でのアクセサリ５の販売時にテーマ・コードをＩＣタグに書き込む場合には、生産工場３０にて生産されてから販売店４０でアクセサリ５を購入する前に、ユーザが不正にデータ配信を受けることを防止することができる。
【００５２】
なお、販売店４０では、ＩＣタグからの読み取りおよびＩＣタグへの書き込みを販売店端末４以外の任意の端末で行うことも可能である。この場合には、販売店端末４からＩＣタグ読取部４１およびＩＣタグ書込部４４を省略することができる。
【００５３】
以下、本実施形態によるデータ配信システムの動作について説明する。なお、以降の説明では、本実施形態の代表的な例として、携帯端末１がＩＣタグ読取部１２としてＩＣタグリーダを搭載した携帯電話であり、ネットワーク１００が携帯電話ネットワークを含むインターネットであるものとして説明を行う。
【００５４】
最初に、携帯端末１が、アクセサリ５のＩＣタグから識別ＩＤおよびテーマ・コードを読み取る際の動作について説明する。
【００５５】
図８を参照すると、携帯端末１においては、ＩＣタグ読取部１２が、アクセサリ装着部１１1〜１１nに装着されるアクセサリ５のＩＣタグから識別ＩＤおよびテーマ・コードを読み取る処理を定期的に行う（ステップＡ１）。
【００５６】
ステップＡ１においては、まず、ＩＣタグ読取部１２が、ＩＣタグのＩＣチップを起動させるための電波を発信する（ステップＡ２）。アクセサリ装着部１１1〜１１nにアクセサリ５が装着されていれば、そのアクセサリ５に取り付けられたＩＣタグのアンテナで電波が受信され、それにより、ＩＣタグのＩＣチップが起動する。ＩＣチップが起動されると、そのＩＣチップはＩＣチップ内の記憶部から識別ＩＤおよびテーマ・コードを読み出し、読み出した識別ＩＤおよびテーマ・コードをＩＣタグのアンテナから発信する（ステップＡ３）。そして、ＩＣタグから発信された識別ＩＤおよびテーマ・コードを、ＩＣタグ読取部１２にて受信する（ステップＡ４）。なお、ステップＡ２〜Ａ４の処理は、アクセサリ５が携帯端末１に複数装着されている場合は、アクセサリ５の数分、複数回実行される。それにより、ＩＣタグ読取部１２は、携帯端末１に装着された全てのアクセサリ５のＩＣタグから識別ＩＤおよびテーマ・コードを読み取る。
【００５７】
以降、携帯端末１のＩＣタグ読取部１２は、携帯端末１からアクセサリ５が取り外されたことや、携帯端末１に装着されたアクセサリ５が変更されたことを定期的に認識するため、一定時間が経過した後に（ステップＡ５の“Ｙｅｓ”）、ステップＡ１の処理に戻り、アクセサリ５のＩＣタグから識別ＩＤおよびテーマ・コードの読み取る処理を行う。
【００５８】
次に、携帯端末１が、アクセサリ５のＩＣタグから読み取った識別ＩＤおよびテーマ・コードに対応するデータをダウンロードする際の動作について説明する。
【００５９】
図９を参照すると、携帯端末１においては、送信部１３が、ＩＣタグ読取部１２によりアクセサリ５のＩＣタグから読み取られた識別ＩＤおよびテーマ・コードを、ネットワーク１００を介して配信サーバ２に送信する（ステップＢ１）。このとき、複数のアクセサリ５のＩＣタグから読み取りを行った場合は、複数のアクセサリ５のＩＣタグから読み取ったそれぞれの識別ＩＤおよびテーマ・コードを送信する。
【００６０】
配信サーバ２においては、受信部２１が、携帯端末１から送信されてきた識別ＩＤおよびテーマ・コードを受信すると（ステップＢ２）、認証部２３が、携帯端末１から送信されてきた全ての識別ＩＤおよびテーマ・コードについて、アクセサリ情報格納部２２に格納されている正当なものであるかを確認する（ステップＢ３）。続いて、選択部２５が、認証部２３にて正当性が確認された全てのテーマ・コードに基づいて、データ情報格納部２４内のデータ情報を参照して、携帯端末１に配信するデータ（壁紙画像データなどの画像データ、音楽データ、着信音データなどの音声データ、アプリケーションプログラムなど）を選択する（ステップＢ４）。例えば、選択部２５は、図５において、携帯端末１から送信されてきたテーマ・コードがコードＡであれば、コードＡに対応付けられた壁紙画像データａを選択し、テーマ・コードがコードＣであれば、コードＣに対応付けられた壁紙画像データｃおよび着信音データｄを選択する。また、コードＡとコードＢの２つのコードであれば、コードＡ，Ｂの組み合わせに対応付けられた壁紙画像データｘを選択するか、または、単体のコードＡ，Ｂにそれぞれ対応付けられた壁紙画像データａ，ｂを選択するか、または、コードＡ，Ｂの組み合わせに対応付けられた壁紙画像データｘと単体のコードＡ，Ｂにそれぞれ対応付けられた壁紙画像データａ，ｂとを選択する。続いて、配信部２７が、選択部２５により選択されたデータを、ネットワーク１００を介して携帯端末１に配信する（ステップＢ５）。例えば、配信部２７は、選択部２５により１つのデータのみが選択されていれば、選択された１つのデータを配信し、２つ以上のデータが選択されていれば、選択された２つ以上のデータの組み合わせを配信する。
【００６１】
携帯端末１においては、受信部１４が、配信サーバ２により配信されたデータを受信すると（ステップＢ６）、データ格納部１５が、受信部１４にて受信されたデータを格納し（ステップＢ７）、データ設定部１６が、データ格納部１５に格納されたデータを携帯端末１に設定する（ステップＢ８）。例えば、データ設定部１６は、配信サーバ２により配信されたデータが壁紙画像データであれば、その壁紙画像データを携帯端末１の表示部に表示される壁紙に設定し、着信音データであれば、その着信音データを携帯端末１の着信音に設定し、アプリケーションデータであれば、そのアプリケーションデータをアプリケーションに設定する。
【００６２】
次に、アクセサリ５のＩＣタグに識別ＩＤおよびテーマ・コードを書き込む際の動作について説明する。
【００６３】
まず、生産工場３０で識別ＩＤおよびテーマ・コードを書き込む場合の動作について説明する。ここでは、生産工場３０では、工場端末３を用いて識別ＩＤおよびテーマ・コードを書き込むものとして説明する。
【００６４】
図１０を参照すると、配信サーバ２においては、送信部２８が、アクセサリ情報格納部２２に格納されている、アクセサリ５に書き込むべき識別ＩＤおよびテーマ・コードを、ネットワーク１００を介して工場端末３に送信する（ステップＣ１）。
【００６５】
工場端末３においては、受信部３１が、配信サーバ２から送信されてきた識別ＩＤおよびテーマ・コードを受信すると（ステップＣ２）、ＩＣタグ書込部３２が、受信部３１にて受信された識別ＩＤおよびテーマ・コードを、アクセサリ５に取り付けられるＩＣタグに書き込む（ステップＣ３）。さらに、送信部３３が、ＩＣタグ書込部３２により実際に書き込まれた識別ＩＤおよびテーマ・コードを、ネットワーク１００を介して配信サーバ２に送信する（ステップＣ４）。
【００６６】
配信サーバ２においては、受信部２１が、工場端末３から送信されてきた識別ＩＤおよびテーマ・コードを受信し（ステップＣ５）、アクセサリ情報格納部２２にアクセサリ情報として格納している識別ＩＤおよびテーマ・コードと一致することを確認する。以降、配信サーバ２においては、アクセサリ情報格納部２２に格納されているアクセサリ情報に基づいて、上述のように、識別ＩＤおよびテーマ・コードの正当性の確認や、識別ＩＤが不正使用された場合のデータ配信停止などの処理を行う。なお、ステップＣ４〜Ｃ５の処理は、実際にＩＣタグに書き込まれた識別ＩＤおよびテーマ・コードを確認するだけの処理であるため、省略されても良い。
【００６７】
次に、生産工場３０で識別ＩＤを書き込み、販売店４０でテーマ・コードを書き込む場合の動作について説明する。なお、生産工場３０で識別ＩＤを書き込む場合には、図１０の処理により識別ＩＤのみを書き込めば良いため、その説明を省略する。ここでは、販売店４０では、販売店端末４を用いてテーマ・コードを書き込むものとして説明する。
【００６８】
図１１を参照すると、販売店端末４においては、ＩＣタグ読取部４１が、生産工場３０から送付されたアクセサリ５に取り付けられ、識別ＩＤのみが書き込まれたＩＤから識別ＩＤを読み取り（ステップＤ１）、送信部４２が、ＩＣタグ読取部４１により読み取られた識別ＩＤを、ネットワーク１００を介して配信サーバ２に送信する（ステップＤ２）。
【００６９】
配信サーバ２においては、受信部２１が、販売店端末４から送信されてきた識別ＩＤを受信すると（ステップＤ３）、送信部２８が、アクセサリ情報格納部２２内のアクセサリ情報を参照して、販売店端末４から送信されてきた識別ＩＤに対応付けられているテーマ・コードを、ネットワーク１００を介して販売店端末４に送信する（ステップＤ４）。
【００７０】
販売店端末４においては、受信部４３が、配信サーバ２から送信されてきたテーマ・コードを受信すると（ステップＤ５）、ＩＣタグ書込部４４が、受信部４３にて受信されたテーマ・コードを、アクセサリ５に取り付けられるＩＣタグに書き込む（ステップＤ６）。なお、実際にＩＣタグに書き込まれたテーマ・コードを確認するために、図１０のステップＣ４〜Ｃ５と同様の処理を追加しても良い。
【００７１】
上述したように本実施形態においては、アクセサリ５にテーマ・コードを書き込んだＩＣタグを取り付けることとし、携帯端末１は、アクセサリ５が装着された場合、そのアクセサリ５のＩＣタグからテーマ・コードを読み取って配信サーバ２に送信し、テーマ・コードに応じたデータをダウンロードしている。
【００７２】
それにより、ユーザは、壁紙画像データ、着信音データ、アプリケーションプログラムをダウンロードする場合、アクセサリ５の付け替えを行うことにより、多様な壁紙画像データ、着信音データ、アプリケーションプログラムをダウンロードすることができるようになる。
【００７３】
また、携帯端末１は、複数のアクセサリ５が装着された場合、複数のアクセサリ５のＩＣタグからそれぞれテーマ・コードを読み取って配信サーバ２に送信し、複数のテーマ・コードの組み合わせに応じたデータをダウンロードしている。
【００７４】
それにより、ユーザは、複数のアクセサリ５の組み合わせに応じて、さらに多様な壁紙画像データ、着信音データ、アプリケーションプログラムをダウンロードすることができるようになる。そのため、例えば、サービス提供者は、シリーズ物のアクセサリ５を全て集めて携帯端末１に装着したユーザに対して、特別な壁紙画像データ、着信音データ、アプリケーションプログラムを配信することもできる。
【００７５】
また、アクセサリ５には、データをダウンロードする権利が実質的に含まれることになるため、サービス提供者は、アクセサリ５の商品価値を高めることができる。また、サービス提供者は、データをダウンロードする権利を含めた対価をアクセサリ５に設定すれば、ダウンロード料金を確実に収集することができる。また、サービス提供者は、ダウンロード料金をクレジットカードで決済する場合などと比較して、データのダウンロード料金を一律に設定する必要がなくなるため、データに応じてダウンロード料金を自由に設定することができる。また、ユーザも、ダウンロード料金をクレジットカードで支払う場合と比較して、料金徴収の間違いを恐れることなく、料金を支払うことができる。それにより、本サービス利用をためらうユーザが減少するため、サービス提供者は、データの販売の機会を増やすことができる。そのため、サービス提供者は、イベントなどの会場でタイムリーに壁紙画像データや、着信音データの販売を行うことができるようになる。
【００７６】
また、アクセサリ５には、データをダウンロードする権利が実質的に含まれていること、および、配信サーバ２において、アクセサリ５のＩＣタグに書き込まれた識別ＩＤおよびテーマ・コードを管理し、これらが不正である場合は配信中止などの処理を行っていることから、ユーザは、ダウンロードする権利の管理を容易に行うことができる。
【図面の簡単な説明】
【００７７】
【図１】本発明の一実施形態によるデータ配信システムの構成を示す図である。
【図２】図１に示した携帯端末の一構成例を示すブロック図である。
【図３】図１に示した配信サーバの一構成例を示すブロック図である。
【図４】図３に示したアクセサリ情報格納部に格納された情報の一例を示す図である。
【図５】図３に示したデータ情報格納部に格納された情報の一例を示す図である。
【図６】図１に示した工場端末の一構成例を示すブロック図である。
【図７】図１に示した販売店端末の一構成例を示すブロック図である。
【図８】図１に示したデータ配信システムにおいて、携帯端末が、アクセサリのＩＣタグから識別ＩＤおよびテーマ・コードを読み取る際の動作を説明するフローチャートである。
【図９】図１に示したデータ配信システムにおいて、携帯端末が、アクセサリのＩＣタグから読み取った識別ＩＤおよびテーマ・コードに対応するデータを、ダウンロードする際の動作を説明するフローチャートである。
【図１０】図１に示したデータ配信システムにおいて、工場端末が、識別ＩＤおよびテーマ・コードをアクセサリのＩＣタグに書き込む際の動作を説明するフローチャートである。
【図１１】図１に示したデータ配信システムにおいて、販売店端末が、テーマ・コードをアクセサリのＩＣタグに書き込む際の動作を説明するフローチャートである。
【符号の説明】
【００７８】
１    携帯端末
２    配信サーバ
３    工場端末
４    販売店端末
５    アクセサリ
３０    生産工場
４０    販売店
１００    ネットワーク
【図１】
2006324761.tif 000003
【図２】
2006324761.tif 000004
【図３】
2006324761.tif 000005
【図４】
2006324761.tif 000006
【図５】
2006324761.tif 000007
【図６】
2006324761.tif 000008
【図７】
2006324761.tif 000009
【図８】
2006324761.tif 000010
【図９】
2006324761.tif 000011
【図１０】
2006324761.tif 000012
【図１１】
2006324761.tif 000013